(57)【要約】【課題】長さの短い手摺支柱用鋼管と、下端を地面に支持させることが出来る長尺鋼管の何れもを簡単に取り付けることが出来る足場板支持用ブラケットを提供する。【解決手段】手摺支柱用鋼管を支持固定する、締結用ボルト９を備えた筒状体８に、台座１６とパイプクランプ１７が追加され、台座１６は、筒状部材８の貫通ネジ孔（ナット８ｂ）が設けられている箇所を外側から覆う垂直板部２４に、締結用ボルト９が貫通するボルト挿通孔２５が設けられ、パイプクランプ１７は、長尺鋼管１８を締結用ボルトナット２３により挟持固定するベース部材１９と押さえ部材２１を備えたもので、ベース部材１９の底板部１９ａが、この底板部に設けられたボルト挿通孔１９ｂと台座１６のボルト挿通孔２５とを貫通して筒状部材８の貫通ネジ孔（ナット８ｂ）に螺合する締結用ボルト９により、筒状部材８の外側に台座１６を介して着脱自在に取り付けられる。【選択図】図６
2019203316.tif 000002
【特許請求の範囲】
【請求項１】
足場板支持用水平部材と、この足場板支持用水平部材の内端に連結された内側支持部材と、足場板支持用水平部材の外端に連結された外側支持部材を備え、内側支持部材の下端と外側支持部材の下端とが連結されて三角形に組み立てられ、前記内側支持部材には取付け部が設けられ、前記足場板支持用水平部材の外端に、差し込まれた手摺支柱用鋼管の下端部を支持する垂直向きの筒状部材が設けられ、当該筒状部材には、この筒状部材に設けられた半径方向の貫通ネジ孔に螺合貫通して前記手摺支柱用鋼管を固定する締結用ボルトが取り付けられている足場板支持用ブラケットにおいて、前記筒状部材の外側で垂直向きに配置した鋼管を取り付けるための台座とパイプクランプが追加され、前記台座は、前記筒状部材の貫通ネジ孔が設けられている箇所を外側から覆う垂直板部を備えたもので、この垂直板部に、前記締結用ボルトが貫通するボルト挿通孔が設けられ、前記パイプクランプは、前記鋼管を締結用ボルトナットにより挟持固定するベース部材と押さえ部材を備えたもので、前記ベース部材の底板部が、この底板部に設けられたボルト挿通孔と前記台座のボルト挿通孔とを貫通して筒状部材の前記貫通ネジ孔に螺合する締結用ボルトにより、前記筒状部材の外側に前記台座を介して着脱自在に取り付けられている、足場板支持用ブラケット。
【請求項２】
台座の前記垂直板部は、正面視で四角形のもので、その上下両側辺から内向きに連設された上下両側板部の内側辺が、前記筒状部材の周面に嵌合する凹入円弧形に形成され、当該垂直板部には、前記パイプクランプのベース部材の底板部に設けられた回り止め用突起が嵌合する回り止め孔が設けられている、請求項１に記載の足場板支持用ブラケット。
【請求項３】
前記台座は、前記締結用ボルトの取り外しにより前記筒状部材から前記パイプクランプと共に取り外せるように構成されている、請求項１又は２に記載の足場板支持用ブラケット。
【発明の詳細な説明】
【技術分野】
【０００１】
本発明は、仮設足場の足場板を支持する足場板支持用ブラケットに関するものである。
【背景技術】
【０００２】
コンクリート型枠などの外側に足場板を仮設する場合に使用される足場板支持用ブラケットとして、特許文献１に記載のように、直角三角形に組み立てられた本体の垂直部材に取付け部が設けられ、前記本体の足場板支持用水平部材の外端に、差し込まれた手摺支柱用鋼管の下端部を支持する垂直向きの筒状部材が設けられ、当該筒状部材には、この筒状部材に設けられた半径方向の貫通ネジ孔に螺合貫通して手摺支柱用鋼管を固定する締結用ボルトが取り付けられているものが知られている。又、特許文献２に記載のように、前記本体の足場板支持用水平部材の外端に、垂直向きの鋼管の中間高さ位置を挟持出来るパイプクランプが取り付けられたものも知られている。
【先行技術文献】
【特許文献】
【０００３】
【特許文献１】特開２００６−３１６５８１号公報
【特許文献２】特開２００７−０７０９１５号公報
【発明の概要】
【発明が解決しようとする課題】
【０００４】
特許文献１に記載された足場板支持用ブラケットでは、足場板支持用水平部材の外端に手摺支柱用鋼管を垂直向きに取り付けることは出来るが、特許文献２に記載された足場板支持用ブラケットのように、下端を地面などに支持させることが出来る垂直向きの長尺鋼管の中間高さ位置を足場板支持用水平部材の外端に取り付けることが出来ない。又逆に、特許文献２に記載された足場板支持用ブラケットでは、手摺支柱用鋼管の下端部をパイプクランプで挟持固定することは可能であるが、パイプクランプの締結力が弱まったときに手摺支柱用鋼管が下方に滑動してしまう危険がある。
【課題を解決するための手段】
【０００５】
本発明は、上記のような従来の問題点を解消することのできる足場板支持用ブラケットを提案するものであって、本発明に係る足場板支持用ブラケットは、後述する実施例との関係を理解し易くするために、当該実施例の説明において使用した参照符号を括弧付きで付して示すと、足場板支持用水平部材(2)と、この足場板支持用水平部材(2)の内端に連結された内側支持部材(3)と、足場板支持用水平部材(2)の外端に連結された外側支持部材(4)を備え、内側支持部材(3)の下端と外側支持部材(4)の下端とが連結されて三角形に組み立てられ、前記内側支持部材(3)には取付け部(6)が設けられ、前記足場板支持用水平部材(2)の外端に、差し込まれた手摺支柱用鋼管(7)の下端部を支持する垂直向きの筒状部材(8)が設けられ、当該筒状部材(8)には、この筒状部材(8)に設けられた半径方向の貫通ネジ孔(8c)に螺合貫通して前記手摺支柱用鋼管(7)を固定する締結用ボルト(9)が取り付けられている足場板支持用ブラケットにおいて、前記筒状部材(8)の外側で垂直向きに配置した鋼管(17)を取り付けるための台座(16)とパイプクランプ(17)が追加され、前記台座(16)は、前記筒状部材(8)の貫通ネジ孔(8c)が設けられている箇所を外側から覆う垂直板部(24)を備えたもので、この垂直板部(24)に、前記締結用ボルト(9)が貫通するボルト挿通孔(25)が設けられ、前記パイプクランプ(17)は、前記鋼管(17)を締結用ボルトナット(23)により挟持固定するベース部材(19)と押さえ部材(21)を備えたもので、前記ベース部材(19)の底板部(19a)が、この底板部(19a)に設けられたボルト挿通孔(19b)と前記台座(16)のボルト挿通孔(25)とを貫通して筒状部材(8)の前記貫通ネジ孔(8c)に螺合する締結用ボルト(9)により、前記筒状部材(8)の外側に前記台座(16)を介して着脱自在に取り付けられる構成になっている。
【発明の効果】
【０００６】
上記本発明の構成によれば、前記締結用ボルトと共にパイプクランプを取り外した後、再度前記締結用ボルトを前記貫通ネジ孔にセットしておけば、特許文献１に記載された足場板支持用ブラケットと同様に、手摺支柱用鋼管の下端部を筒状部材に挿入して支持させると共に、前記締結用ボルトで手摺支柱用鋼管を前記筒状部材に固定して、安全に使用することが出来る。又、下端を地面などに支持させることが出来る垂直向きの長尺鋼管を使用する場合は、前記締結用ボルトを外して、前記台座の外側にパイプクランプを締結用ボルトによって取り付けることにより、特許文献２に記載のものと同じように、下端を地面などに支持させた長尺鋼管の中間高さ位置を前記パイプクランプによって足場板支持用ブラケットに結合することが出来る。このように本発明の足場板支持用ブラケットによれば、この足場板支持用ブラケット側で下端部を支持させなければならない手摺支柱用鋼管と、下端を地面などに支持させることが出来る垂直向きの長尺鋼管の何れでも併用することが出来る。しかも、手摺支柱用鋼管の下端部を支持してボルト止め出来る前記筒状部材と、長尺鋼管の中間高さ位置を取り付けるためのパイプクランプの両方を取り付けておくのでなく、普段はパイプクランプを外しておき、パイプクランプが必要なときは、前記筒状部材に台座を介してパイプクランプを安定的に取り付けることが出来る。
【０００７】
上記本発明を実施する場合、台座(16)の前記垂直板部(24)は、正面視で四角形のもので、その上下両側辺から内向きに連設された上下両側板部(24a,24b)の内側辺(24e)が、前記筒状部材(8)の周面に嵌合する凹入円弧形に形成された構造とし、当該垂直板部(24)には、前記パイプクランプ(17)のベース部材(19)の底板部(19a)に設けられた回り止め用突起(19c,19d)が嵌合する回り止め孔(26a,26b)を設けておくことが出来る。前記台座(16)は、前記筒状部材(8)に溶接などで固着しても良いが、前記締結用ボルト(9)の取り外しにより前記筒状部材(8)から前記パイプクランプ(17)と共に取り外せるように構成することにより、前記台座を溶接などで固着する場合と比較して製造コストを下げることが出来、しかも１本の前記締結用ボルトをそのまま利用して台座を所定位置に安定的に固定することも出来る。
【図面の簡単な説明】
【０００８】
【図１】図１は、第一使用例を示す側面図である。
【図２】図２は、第二使用例を示す側面図である。
【図３】図３は、第二使用例を採用するときの要部の構造を示す一部縦断側面図である。
【図４】図４は、図３に示す要部の構造の分解一部縦断側面図である。
【図５】図５Ａは、図３に示す要部の構造における台座配置状態を示す要部の正面図、図５Ｂは、使用する台座の斜視図である。
【図６】図６は、図３に示す要部の構造の、パイプクランプを開いた状態を示す横断平面図である。
【図７】図７は、図３に示す要部の構造の正面図である。
【発明を実施するための形態】
【０００９】
図１に示す第一使用例に基づいて本発明の足場板支持用ブラケットを説明すると、このブラケット１は、足場板Ｐを支持する足場板支持用水平部材２と、この足場板支持用水平部材２の内端に連結された内側支持部材３と、足場板支持用水平部材２の外端に連結された外側支持部材４を備え、内側支持部材３の下端と外側支持部材４の下端とが連結されて三角形に組み立てられたものであって、前記内側支持部材３には、このブラケット１を他の構造体、例えばコンクリート型枠５に取り付けるための取付け部６が設けられ、前記足場板支持用水平部材２の外端には、差し込まれた手摺支柱用鋼管７の下端部を支持する垂直向きの筒状部材８が固着され、当該筒状部材８には、この筒状部材８内に差し込まれた手摺支柱用鋼管７を押圧固定する締結用ボルト９が取り付けられている。
【００１０】
以下、具体構造について説明すると、取付け部６は、コンクリート型枠５の水平ばた材５ａに上から嵌合させることが出来る門形の嵌合部材１０を備えている。この嵌合部材１０は、両脚部１０ａ，１０ｂの下端でつながった２枚の門形板材から成るもので、鋼管から成る足場板支持用水平部材２の内端を２枚の門形板材の一方の脚部１０ａが挟む状態で、これらを水平に貫通する１本のボルトナット１１によって足場板支持用水平部材２の内端に取り付けられているが、このボルトナット１１は、内側支持部材３の上端を足場板支持用水平部材２の内端に取り付ける手段としても利用されている。即ち、内側支持部材３は左右一対の帯状板材３ａから成り、この左右一対の帯状板材３ａの上端が前記嵌合部材１０の一方の脚部１０ａを外側から挟む状態で前記１本のボルトナット１１によって足場板支持用水平部材２の内端と嵌合部材１０とに取り付けられている。前記内側支持部材３の左右一対の帯状板材３ａの下端部は、鋼管から成る外側支持部材４の下端を挟む状態で１本のボルトナット１２により当該外側支持部材４の下端に連結されている。
【００１１】
前記筒状部材８の下端には、当該筒状部材８の下端を閉じるように下側開放の門形連結部材１３が固着されている。鋼管から成る外側支持部材４には、その上端から中間適当位置まで適当間隔おきに左右水平方向に貫通する連結孔１４が設けられており、図示のように上端の連結孔１４を前記門形連結部材１３に嵌合させた状態で、これらを左右水平方向に貫通する着脱自在な結合ピン１５で連結することにより、足場板支持用水平部材２と内側支持部材３、及び外側支持部材４が、足場板支持用水平部材２と内側支持部材３とがほぼ直角に接続された直角三角形を形成するように構成されている。従って、取付け部６を介してこのブラケット１を取り付けるべき構造体、例えばコンクリート型枠５が、法面に配設されたコンクリート型枠のように傾斜している場合には、門形連結部材１３に結合ピン１５で連結する外側支持部材４の連結孔１４を当該外側支持部材４の下端寄りの連結孔１４に変更することにより、足場板支持用水平部材２をほぼ水平に保持しながら、内側支持部材３を当該傾斜したコンクリート型枠５に沿わせることが出来る。前記筒状部材８の外側面には、図４に示すように、この筒状部材８に設けられた半径方向の貫通孔８ａと同心状に筒状部材８にナット８ｂが溶接などで固着され、前記貫通孔８ａとナット８ｂのネジ孔により、締結用ボルト９が螺合貫通する貫通ネジ孔８ｃが構成されている。
【００１２】
図２に示す第二使用例では、筒状部材８に手摺支柱用鋼管７を挿入して締結用ボルト９で固定するのではなく、筒状部材８の外側に台座１６とパイプクランプ１７を介して長尺鋼管１８を垂直向きに取り付けている。この長尺鋼管１８は、下端が地面（又はこれに代わる基礎表面）Ｇによって支持されるものである。パイプクランプ１７は従来周知のものであって、図６に示すように、ベース部材１９と、このベース部材１９の一端部に支軸２０により開閉自在に軸支された押え部材２１と、ベース部材１９の他端部に支軸２２により揺動自在に軸支された締結用ボルトナット２３から構成されたもので、長尺鋼管１８をベース部材１９と押え部材２１との間で挟んだ状態で、締結用ボルトナット２３を押え部材２１側に閉動させ、この押え部材２１の遊端二股部に締結用ボルトナット２３のボルト２３ａを嵌合させてナット２３ｂを締め付けることにより、ベース部材１９と押え部材２１との間で長尺鋼管１８を挟持固定するものである。前記ベース部材１９と押え部材２１は、横断面が、長尺鋼管１８を挟む内側が解放したコの字形のもので、ベース部材１９の底板部１９ａには、ボルト挿通孔１９ｂと、図４に示すように底板部１９ａから外向きに突出するように当該底板部１９ａに一体成型された一対の回り止め用突起１９ｃ，１９ｄが設けられている。
【００１３】
台座１６は、図５に示すように筒状部材８の外径に近い横巾の四角形の垂直板部２４と、この垂直板部２４の上下両側辺から内向き（筒状部材８のある側）で直角に折曲連設された上下両側板部２４ａ，２４ｂと、垂直板部２４の左右両側辺から内向きで直角に折曲連設された補強用左右両側板部２４ｃ，２４ｄが連設されている。そして上下両側板部２４ａ，２４ｂの内側辺２４ｅは、筒状部材８の周面に嵌合する凹入円弧形に形成され、当該上下両側板部２４ａ，２４ｂの凹入円弧形内側辺２４ｅを筒状部材８の周面に当接させることにより、垂直板部２４を筒状部材８と平行で且つ前記ナット８ｂより外側に離れて位置させることが出来るように構成されている。
【００１４】
上記の台座１６の垂直板部２４には、前記締結用ボルト９を挿通させるためのボルト挿通孔２５と、パイプクランプ１７のベース部材１９の底板部１９ａに設けられている回り止め用突起１９ｃ，１９ｄが嵌合する回り止め孔２６ａ，２６ｂが設けられている。この両回り止め孔２６ａ，２６ｂにパイプクランプ１７側の回り止め用突起１９ｃ，１９ｄを嵌合させるように、パイプクランプ１７のベース部材１９の底板部１９ａを台座１６の垂直板部２４の外側に当接させたとき、ベース部材１９のボルト挿通孔１９ｂと台座１６の垂直板部２４のボルト挿通孔２５とが互いに同心状に位置すると共に、パイプクランプ１７がベース部材１９と押え部材２１との間で挟持する長尺鋼管１８の長さ方向が、台座１６の上下方向、即ち、上下両側板部２４ａ，２４ｂを結ぶ方向（補強用左右両側板部２４ｃ，２４ｄの長さ方向）と一致するように構成されている。尚、ベース部材１９の回り止め用突起１９ｃ，１９ｄは、ボルト挿通孔１９ｂの横側方で上下に振り分けられており、一方、筒状部材８のナット８ｂの取付け位置が当該筒状部材８の上端近傍位置であって、台座１６の上側板部２４ａを前記ナット８ｂの上側に隣接するように配置しなければならない関係から、台座１６のボルト挿通孔２５は、垂直板部２４の上側辺寄りの位置に設けられる。従って、台座１６の垂直板部２４に設けられる２つの回り止め孔２６ａ，２６ｂの内、上側になる回り止め孔２６ａは、図３〜図５に示すように、垂直板部２４と上側板部２４ａとに跨ってＬ字形に形成されている。
【００１５】
パイプクランプ１７を使用するときは、上記のように台座１６側の回り止め孔２６ａ，２６ｂにパイプクランプ１７のベース部材１９側の回り止め用突起１９ｃ，１９ｄを嵌合させるように、台座１６の垂直板部２４の外側にパイプクランプ１７のベース部材１９の底板部１９ａを当接させ、互いに同心状に位置するベース部材１９側のボルト挿通孔１９ｂから台座１６側のボルト挿通孔２５に向かって締結用ボルト９を挿通させ、台座１６の上側板部２４ａの凹入円弧形内側辺２４ｅを筒状部材８のナット８ｂの上側で当該筒状部材８の外周面に当接させるように台座１６を位置決めしながら、締結用ボルト９を筒状部材８側のナット８ｂの貫通ネジ孔８ｃに螺合締結させる。この結果、図３、図６、及び図７に示すように、台座１６の上下両側板部２４ａ，２４ｂの凹入円弧形内側辺２４ｅが筒状部材８の外周面に圧接した状態で、この台座１６と共にパイプクランプ１７が筒状部材８の外側に、当該パイプクランプ１７が垂直向きの長尺鋼管１８を挟持固定出来る向きに取り付けられる。
【００１６】
上記のように筒状部材８の外側に台座１６を介してパイプクランプ１７を締結用ボルト９によって取り付けたブラケット１が準備出来たならば、このブラケット１を周知の方法で所定位置に取り付け、図６に示すように、パイプクランプ１７の押え部材２１と締結用ボルトナット２３を開動させた状態で、長尺鋼管１８をパイプクランプ１７の正面側からパイプクランプ１７のベース部材１９に当て付け、この後、押え部材２１を閉じてベース部材１９と押え部材２１との間で長尺鋼管１８を挟み付け、最後に締結用ボルトナット２３によりベース部材１９に対し閉じ姿勢の押え部材２１を締結することにより、パイプクランプ１７を介して長尺鋼管１８を、その下端が地面Ｇに支持される状態で垂直向きにブラケット１に取り付けることが出来る。
【００１７】
足場の解体時には、パイプクランプ１７を解放して長尺鋼管１８を取り外し、ブラケット１も取り外されるが、台座１６とパイプクランプ１７は、上記の取付け手順と逆の操作によってブラケット１の筒状部材８から取り外し、締結用ボルト９を筒状部材８のナット８ｂの貫通ネジ孔８ｃに直接螺合締結させて、ブラケット１を元の状態に戻しておくことが出来る。
【００１８】
尚、図示の実施例では、締結用ボルト９の軸部と着脱自在な結合ピン１５とを、両端のリング２７ａ，２７ｂを介してチエンやワイヤーロープなどの索状体２７により繋いでいる。又、筒状部材８に挿入された手摺支柱用鋼管７を固定する場合に使用される締結用ボルトと、台座１６を介してパイプクランプ１７を筒状部材８に取り付ける場合に使用される締結用ボルトとを、共通の締結用ボルト９で兼用させるように説明したが、それぞれ専用の締結用ボルトを使用することも出来る。台座１６も筒状部材８に対して着脱自在に構成したが、溶接や別の取付け手段により台座１６を筒状部材８に固着しても良い。
【産業上の利用可能性】
【００１９】
本発明の足場板支持用ブラケットは、長さの短い手摺支柱用鋼管と、下端を地面に支持させることが出来る長尺鋼管の何れもを簡単に取り付けることが出来るブラケットとして活用出来る。
【符号の説明】
【００２０】
１    ブラケット
２    足場板支持用水平部材
３    内側支持部材
４    外側支持部材
５    コンクリート型枠
５ａ    水平ばた材
６    取付け部
７    手摺支柱用鋼管
８    筒状部材
８ａ    貫通孔
８ｂ    ナット
８ｃ    貫通ネジ孔
９    締結用ボルト
１０    嵌合部材
１１，１２    ボルトナット
１３    門形連結部材
１４    連結孔
１５    結合ピン
１６    台座
１７    パイプクランプ
１８    長尺鋼管
１９    ベース部材
１９ａ    底板部
１９ｂ，２５    ボルト挿通孔
１９ｃ，１９ｄ    回り止め用突起
２０，２２    支軸
２１    押え部材
２３    締結用ボルトナット
２４    垂直板部
２４ａ，２４ｂ    上下両側板部
２４ｃ，２４ｄ    補強用左右両側板部
２４ｅ    凹入円弧形内側辺
２６ａ，２６ｂ    回り止め孔
２７    索状体
Ｐ    足場板
【図１】
2019203316.tif 000003
【図２】
2019203316.tif 000004
【図３】
2019203316.tif 000005
【図４】
2019203316.tif 000006
【図５】
2019203316.tif 000007
【図６】
2019203316.tif 000008
【図７】
2019203316.tif 000009